(57)【要約】      （修正有）【課題】材料及び形状を工夫して、パットの強弱に適切に反応してボールを捕らえることができ、かつ取扱いが簡便なゴルフ練習用カップ・リングを提供する。【解決手段】パッティング練習用のカップ・リング１０は、湾曲形伸縮テープ１１より成る可撓性円形環であって、テープの外周縁１２から内周縁１３に向って上方に傾斜し、テープの内外面が円錐面を形成している。テープは可撓性を有するため弱い打球でも、ボールの移動に伴って押圧され、外周縁から内周縁側に倒れるため、ボールはテープを通過して、リング内に入る。また、通常の強さのパットであれば、ボールがテープを通過した後、反対側のテープは内周縁が逆止する方向に立ち上っているのでボールは停止する。以上のように、極めて実戦に近い状態でパッティングの練習を行なうことができる。【選択図】図１
0003186257.tif 000002
【実用新案登録請求の範囲】
【請求項１】
湾曲形伸縮性テープより成る可撓性円形環であって、前記テープはその外周縁から内周縁に向って上方に傾斜し、前記テープの内外面が円錐面を形成したカップ・リング。
【請求項２】
前記湾曲形伸縮性テープはポリウレタン弾性糸の重ね織り織物であって、湾曲内側部分が湾曲外側部分よりも高い伸縮性を有する請求項１に記載のカップ・リング。
【考案の詳細な説明】
【技術分野】
【０００１】
この考案は、ゴルフ練習用、特にパッティングの練習に用いるカップ開口部を形成したリングに関する。
【背景技術】
【０００２】
室内や庭、或はゴルフ練習場等において、パッティングの練習を行なう場合、カーペットや芝生の上に、カップの開口部を形取ったリングを置いて練習することがある。このようなリング１は、図４及び図５に示すように、所定巾で円環状に形成され、巾方向の横断面は略三角形状、即ち上面２はリング全体としては円錐面、底面３は水平面になっており、三角形状内部は充実している（中空ではない）。そして材料は一般に合成ゴムまたは合成樹脂である。
【０００３】
上記のようなリング１を使用する場合、ゴルフボールに対する打球の強弱の感覚をつかむことが難しい。このようなリング１を用いて練習中にゴルフボールがカップインするということは、ボールがリング１の内周に入ってそこで停止することであるが、例えばゴルフボールを弱く打球した場合、リング１の外周の上面２が斜面になっているため、これを乗り越えることができずにボールがリング１の外周で停止してしまう。逆に強く打ち過ぎても、リング１の垂直な内周壁４が強直（リジッド）であるため、それに衝突して停止してしまうことがある。即ち、実際のゴルフコースであると、通り過ぎてしまうような強さのボールでもリング１内に入り、逆に辛うじてカップインするような弱さのボールではリング１の外周で停止してしまうことになる。
【０００４】
また、取扱い面でも、例えばズボンのポケットに収納する場合、折り曲げようとすると強い復元弾性でポケットがふくらみ、著しい異物感を与える。
【０００５】
そのほか、塵埃や泥で汚れた場合、ブラシなどを用いて手で洗浄しなければならず、手間がかかる問題がある。
【考案の概要】
【考案が解決しようとする課題】
【０００６】
そこで、この考案の課題は、カップ・リングの材料及び形状を工夫して、パットの強弱に適切に反応し、かつ取扱いも簡便にすることである。
【課題を解決するための手段】
【０００７】
上記の課題を解決するために、この考案のカップ・リングは、湾曲形伸縮性テープによって可撓性円環を形成し、前記テープの外周縁から内周縁に向って上方に傾斜させ、前記テープの内外面が円錐面を形成するようにしたのである。
【０００８】
上記湾曲形伸縮性テープは、ポリウレタン弾性糸の重ね織り織物であって、湾曲内側部分が湾曲外側部分よりも高い伸縮性を有するものである。
【考案の効果】
【０００９】
この考案によれば、以上のように、湾曲形伸縮性テープによってカップ・リングを形成し、かつテープを巾方向に傾斜させたので、パッティングの強弱によるゴルフボールの転がりによく反応して実際に即した練習が可能となる。また、ズボンのポケット等に収納しても折り畳み性が良好で邪魔にならず、さらに汚れ等も洗濯機で洗浄することができる。
【図面の簡単な説明】
【００１０】
【図１】この考案のカップ・リングを示す平面図である。
【図２】同上の断面図である。
【図３】カップ・リングの作用を示す一部横断側面図である。
【図４】従来のカップ・リングを示す平面図である。
【図５】同上の断面図である。
【考案を実施するための形態】
【００１１】
以下、この考案の実施形態を図１〜図３に基づいて説明する。図１及び図２に示すように、カップ・リング１０は、湾曲形伸縮性テープ１１の両端を接続部１１ａによって連結して可撓性円形環を形成したものであって、このテープ１１は外周縁１２から内周縁１３に向って上方に傾斜し、テープ１１の内外面共に全体として円錐面を形成している。傾斜角αは、外周縁１２に対する内周縁１３の円周Ｒの大きさを適宜選択することによって決定することができる。即ち外周縁１２に対して内周縁の円周の大きさを近づけると角αは大きくなり遠ざけると小さくなる。この角αは略２５°〜３５°の間が好ましい。
【００１２】
前記テープ１１の巾Ｗは、約８ｍｍから１２ｍｍ程度が好ましいが、それ以外でもよい。リング１０の内径Ｄは、実際のカップの径と同一（約１０ｃｍ）にしておくのが好ましいが、練習の難易度に応じて適当な内径を選択することができる。
【００１３】
前記湾曲形伸縮性テープ１１は、ポリウレタン弾性糸を用いて、湾曲内側部分（内周縁１３）が湾曲外側部分（外周縁１２）より高い伸縮性を有するように重ね織りした織物であって、例えば特許第５１４４４１６号公報に開示されたテープが用いられる。
【００１４】
いま、図３に示すように、カップ・リング１０を芝生やカーペットＥに載置した状態でゴルフボールＢをパットしたとき、ボールＢがリング１０に到達すると、テープ１１は可撓性を有するため、ボールＢの移動に伴ってボールの重量により押圧され、図の鎖線の状態から実線の状態、即ち外周縁１２から内周縁１３側に倒れるため、ボールＢはほとんど抵抗なくテープ１１を通過して、リング１０内に入ることができる。これは、ボールＢがテープ１１を乗り越えるだけの速度さえ有しておれば足りるので、ごく弱い打球、ぎりぎりでカップインするようなパットでもリング１０内に捕捉することができる。また、通常の強さのパットであれば、ボールＢが最初にテープ１１を通過した後、その反対側のテープ１１はその内周縁１３が図の鎖線のように逆止する方向に立ち上っているのでボールＢを停止させることもできる。さらにボールＢの速さが大きすぎると（パットが強すぎると）、図の右側に示すように、逆止するリングの内周縁１３（鎖線）を乗り越えて、実線で示すようにテープ１１を押し下げ、テープ１１を通過してリング外へ出てしまう。従来のリングは内周縁がリジッドになっているため、それを乗り越えるには、ボールＢがバウンドするような動きが必要となり、非常に大きな運動エネルギを必要とし実情に合わない。
【００１５】
以上のように、極めて実戦に近い状態でパッティングの練習を行なうことができる。
【符号の説明】
【００１６】
１  従来のカップ・リング
２  上面
３  底面
４  内周壁
１０  この考案のカップ・リング
１１  テープ
１１ａ  接続部
１２  外周縁
１３  内周縁
Ｂ  ゴルフボール
Ｄ  内径
Ｗ  テープの巾
α  傾斜角
【図１】
0003186257.tif 000003
【図２】
0003186257.tif 000004
【図３】
0003186257.tif 000005
【図４】
0003186257.tif 000006
【図５】
0003186257.tif 000007